(57)【要約】      （修正有）【課題】磁石相互間の吸引力と反発力を回転力にし、発電機を回転し、電力を得る装置。【解決手段】この発明は、電気自動車、工業用、家庭用、農業用、等の電源に用いる。主円盤１と副円盤２の下部に笠歯車３をつけ、主円盤１と副円盤２面上は外周を２区分し、主円盤１の区分点には、端部突出傾斜磁極面磁石４を、同一磁極で、傾斜線ｅ上に、同一方向で配列固定する。副円盤２の区分点には、裏磁極突出傾斜磁極面磁石５を、同一磁極で、傾斜線ｅ上に、同一方向で配列固定する。上部主円盤１と副円盤２をつけ、支持枠１７で固定する。中心軸８をつけ主円盤回転機子１２、副円盤回転機子１３とし、置容器１５の軸受に支持する。この時、副円盤２の区分点が、主円盤１の区分点より、磁極面側ずれた位置で、笠歯車３を噛み合わせる。装置容器１６外に設けた発電機１４軸と、主円盤回転車１２の中心軸８を、継ぎ手２１により、連結した構成の磁力回転発電装置。【選択図】図２
2005185080.tif 000002
【特許請求の範囲】
【請求項１】
中心に軸穴があく、主円盤１と副円盤２の円盤直径比は１対１、又は任意の整数対１の比とし、各円盤下部には、円盤直径比と同じ歯数比で、中心に軸穴があく、ピッチ円錐角ｘが約１５〜４５度の笠歯車３を固定する。主副各円盤直径比が１対１の時は、主副各円盤面上の外周端に画く円周を、２以上の整数で等区分し、各区分点とする。又、任意の整数対１の比の時は、主円盤１面上の円周区分を４以上、副円盤２は２以上の整数区分とする。主円盤１の各区分点の接線ｆに対し、同一方向で、０度〜４５度までの傾斜角ａで、傾斜線ｅを引く。副円盤２は、各区分点の接線ｆに対し、主円盤１とは逆方向で、８０度〜９０度までの傾斜角ｂの傾斜線ｅを引く。主円盤１の各傾斜線上には、端部突出部分４ａがついた端部突出傾斜磁極面磁石４を、外周側磁極面を同一磁極で、傾斜線ｅ上を下端磁極面位置とし、又、端部角を区分点位置として配列し、固定する。副円盤２の傾斜線ｅ上には、主円盤１と同一磁極の外周側磁極面で、傾斜線ｅ上を下端磁極面位置とし、又、端部角を区分点位置として、裏磁極面端に、裏磁極突出部分５ａがついた裏磁極突出傾斜磁極面磁石５を配列固定する。裏磁極突出傾斜磁極面磁石５の磁極面巾ｍは、副円盤直径の約５０％〜７５％の巾とし、主円盤１の端部突出傾斜磁極面磁石４の磁極面巾ｍは裏磁極突出傾斜磁極面磁石５巾ｍの約２倍の巾とする。端部突出傾斜磁極面磁石４と裏磁極突出傾斜磁極面磁石５は、ピッチ円錐角ｘと同じ傾斜角ｘで傾斜する、二方向傾斜台１６の傾斜面に磁石、超電導電磁石を固定される。端部突出傾斜磁極面磁石４の二方向傾斜台１６は、平面台部分１６ａとその上に、磁極面前方向傾斜台部分１６ｂがつき、又、その上に磁極面横方向傾斜台部分１６ｃついた形であり、一体成形で作られる。平面台部分１６ａの高さｈは、磁極面より主円盤１面外周までの巾ｄできまり、ｈ＝ｔａｎｘ×ｄでもとまる。裏磁極突出傾斜磁極面磁石５の二方向傾斜台１６は、磁極面前方向傾斜台部分１６ｂの上に、端部突出傾斜磁極面磁石５とは逆方向で、磁極面横方向傾斜台部分１６ｃがついた形であり、一体成形で作られる。円盤面に各々固定された、端部突出傾斜磁極面磁石４と裏磁極突出傾斜磁極面磁石５上部に、上部の主円盤１と副円盤２をつけ取付枠１７により固定する。上部の主円盤１と副円盤２の上に冷却ガス再冷却用の冷凍機６を設け、又、フライホイール７を主円盤１上に設ける。主円盤１と副円盤２の軸穴に中心軸８を付け、キー２０により固定し、主円盤回転車１２と副円盤回転車１３とする。主円盤回転車１２と副円盤回転車１３は、各笠歯車３を噛み合わせ、装置容器１５のラジアル軸受け９とスラスト軸受け１０により支持する。この時、副円盤２の区分点位置が、主円盤１の区分点位置より、磁極面側位置に来るように、ずらし中心角ｇとして、５〜１０度程度、ずらした位置で噛み合わせる。主円盤１の軸８端に、出力用笠歯車１８をつけ、装置容器１５上に設けた発電機１４軸の小笠歯車１９と、噛み合う。超電導電磁石６の電力供給は、中心軸８にあく配線用穴２１に、配線をとうし、中心軸８端に、設けた回転接点１１に接続し、外部より供給する。以上の構成よりなる磁力回転発電装置。
【発明の詳細な説明】
【発明の詳細な説明】
［発明の属する技術分野］
【０００１】この発明は、磁石相互間に作用する吸引力と反発力を回転力に変えて、発電機を回転させ電力を得る装置で、電気自動車、船舶、航空宇宙、工業用、家庭用、農業用の電源として用いる。
［従来の技術］
【０００２】従来、磁石相互間に作用する吸引力と反発力を回転力として、発電機を回転し電力を得る装置は、我国の発明家湊弘平氏の磁力発電装置が、１９８７年にテレビ、雑誌で公開された。実用機も作られたが耐久性に問題があったためか、その後実用化はされなかった。しかし、その後、磁石と電磁石を用いた磁力回転発電装置を発明し、４０カ国以上の国際特許を得ている。他に米国の発明家トロイ・リード氏の磁力発電装置があるが装置が大型になる欠点がある。
［発明が解決しようとする課題］
【０００３】この発明は、円盤上に配列する磁石数を少なくして小型化する事を目的とし、又、超電導電磁石を用いて大電力を発電する事を目的とする。
［課題を解決するための手段］
【０００４】
【０００５】中心に軸穴があく、主円盤１と副円盤２の円盤直径比は１対１、又は任意の整数対１の比とし、各円盤下部に、円盤直径比と同じ歯数比で、中心に軸穴があく、ピッチ円錐角ｘが約１５〜４５度の笠歯車３を固定する。主副各円盤直径比が１対１の時は、主副各円盤面上の外周端に画く円周を、２以上の整数で等区分し、各区分点とする。又、任意の整数対１の比の時は、主円盤１面上の円周区分は４以上、副円盤２は２以上の整数区分とする。主円盤１の各区分点の接線ｆに対し、同一方向で、０度〜４５度までの傾斜角ａで、傾斜線ｅを引く。副円盤２は、各区分点の接線ｆに対し、主円盤１とは逆方向で、８０度〜９０度までの傾斜角ｂの傾斜線ｅを引く。主円盤１の各傾斜線上には、突出部分４ａがある、端部突出傾斜磁極面磁石４を、外周側磁極面を同一磁極で、傾斜線ｅ上を下端磁極面位置とし、又、端部角を区分点位置として配列し、固定する。副円盤２の傾斜線ｅ上には、主円盤１と同一磁極の外周側磁極面で、傾斜線ｅ上を下端磁極面位置とし、又、端部角を区分点位置として、裏磁極面端に、裏磁極突出部分５ａがある裏磁極突出傾斜磁極面磁石５を配列固定する。
【０００６】裏磁極突出傾斜磁極面磁石５の磁極面巾ｍは、副円盤直径の約５０％〜６５％の巾とし、主円盤１の端部突出傾斜磁極面磁石４の磁極面巾ｍは裏磁極突出傾斜磁極面磁石５巾ｍの約２倍の巾とする。端部突出傾斜磁極面磁石４と裏磁極突出傾斜磁極面磁石５は、ピッチ円錐角ｘと同じ傾斜角ｘで傾斜する、二方向傾斜台１６の傾斜面に磁石、超電導電磁石を固定される。端部突出傾斜磁極面磁石４の二方向傾斜台１６は、平面台部分１６ａとその上に、磁極面前方向傾斜台部分１６ｂがつき、又、その上に磁極面横方向傾斜台部分１６ｃついた形であり、一体成形で作られる。平面台部分１６ａの高さｈは、磁極面より主円盤１面外周までの巾ｄできまり、ｈ＝ｔａｎｘ×ｄでもとまる。裏磁極突出傾斜磁極面磁石５の二方向傾斜台１６は、磁極面前方向傾斜台部分１６ｂの上に、端部突出傾斜磁極面磁石５とは逆方向で、磁極面横方向傾斜台部分１６ｃがついた形であり、一体成形で作られる。円盤面に各々固定された、端部突出傾斜磁極面磁石４と裏磁極突出傾斜磁極面磁石５上部に、上部の主円盤１と副円盤２をつけ取付枠１７により固定する。
【０００７】上部の主円盤１と副円盤２の上に冷却ガス再冷却用の冷凍機６を設け、又、フライホイール７を主円盤１上に設ける。主円盤１と副円盤２の軸穴に中心軸８を付け、キー２０により固定し、主円盤回転車１２と副円盤回転車１３とする。主円盤回転車１２と副円盤回転車１３は、各笠歯車３を噛み合わせ、装置容器１５のラジアル軸受け９とスラスト軸受け１０により支持する。この時、副円盤２の区分点位置が、主円盤１の区分点位置より磁極面側位置に来るように、ずらし中心角ｇとして、５〜１０度程度ずらした位置で噛み合わせる。主円盤１の軸８端に、出力用笠歯車１８をつけ、装置容器１５上に設けた発電機１４軸の小笠歯車１９と、噛み合う。冷凍機６の電力供給は、中心軸８の配線用穴２１に、配線をとうし、中心軸８端に設けた回転接点１１に接続し、外部より供給する。以上の構成よりなる磁力回転発電装置。
［発明の実施の形態］
【０００８】
【０００９】図２にあるように、軸受けに支持された主円盤回転車１２と副円盤回転車１３が、笠歯車３で噛み合う時、この発明装置の回転原理を、図１とおなじ方向位置で合成した断面平面透視図である、図２２、図２３、図２４各図を用いて説明する図２２、にあるように、副円盤２の区分点位置は、主円盤１の区分点位置より、ずれ中心角ｇで５度、端部突出傾斜磁極面磁石４の磁極面側に位置する。図２２図の位置にある時、主円盤１の端部突出傾斜磁極面磁石４（１）のＮ磁極が、副円盤２の裏磁極突出傾斜磁極面磁石５（４）のＳ磁極とに、吸引力が作用する。この為、主円盤１に回転力Ｐと、副円盤２も回転力Ｐが作用し、主円盤１は右回転、副円盤２は左回転して、図２３の位置に来る。
【００１０】図２３の位置にある時、主円盤１の端部突出傾斜磁極面磁石４（１）のＮ磁極が、副円盤２の裏磁極突出傾斜磁極面磁石５（４）のＳ磁極とに、吸引力が作用し、副円盤２に回転力Ｐが作用する。主円盤１には、中心軸８方向に作用する為、逆回転力は作用しない。次に、主円盤１の端部突出傾斜磁極面磁石４（１）の突出部分４ａのＮ磁極と、副円盤２の端部突出傾斜磁極面磁石４（４）の裏磁極突出部分５ａのＳ磁極とに、吸引力が作用し、主円盤１には、回転力Ｐが作用する。突出部分４ａの回転半径が、裏磁極突出部分５ａの回転半径の２倍ある為、主円盤１の回転モーメントが大で、副円盤２には、逆回転力が、かからない。次に、主円盤１の端部突出傾斜磁極面磁石４（１）のＮ磁極が、副円盤２の裏磁極突出傾斜磁極面磁石５（３）のＮ磁極とに、反発力が作用する。この為、主円盤１と副円盤２に、回転力Ｐが作用する。これら４ケ所の回転力Ｐが作用し、主円盤１は右回転、副円盤２は左回転して、図２４の位置に来る。
【００１１】図２４の位置にある時、主円盤１の端部突出傾斜磁極面磁石４の、（２）のＮ磁極が、副円盤２の裏磁極突出傾斜磁極面磁石５の、（３）のＳ磁極に、吸引力が作用し、主円盤１と副円盤２に、回転力Ｐが作用する。次に、主円盤１の端部突出傾斜磁極面磁石４の、（１）のＳ磁極が、副円盤２の裏磁極突出傾斜磁極面磁石５の、（４）のＳ磁極とに、反発力が作用し、主円盤１に回転力Ｐが作用する。副円盤２には、中心軸８方向に作用する為、逆回転力がかからない。これら３ケ所の回転力Ｐが作用し、主円盤１は右回転、副円盤２は左回転して、図２２の位置に戻り、１サイクルとなり、回転力を持続する事ができる。図２にあるように、主円盤回転車１２の中心軸８についた出力用笠歯車１８が、発電機１４軸についた、小笠歯車１９と噛み合うため、発電機を回転し、電力を得る。
［実施例］
【００１２】この発明の実施例を図面により説明する。
【００１３】（第一実施例）
図１は、この発明の第一実施例で、図２の主円盤１のＢ−Ｂ線方向と、副円盤２のＣ−Ｃ線方向断面で、特に、端部突出傾斜磁極面磁石４と裏磁極突出傾斜磁極面磁石５の下端部位置を透視して、合成した断面透視平面図、図２は、図１のＡ−Ａ線方向の断面立面図、図３は、図２のＤ−Ｄ線方向の断面立面図である。
【００１４】この発明の第一実施例は、主に、主円盤回転車１２と副円盤回転車１３によって構成される。図４は、主円盤回転車１２で、図５Ａ−Ａ方向より、端部突出傾斜磁極面磁石４の下端磁極面位置を透視した、断面透視平面図であり、図５は立面図、図６は側面図である。図７は、副円盤回転車１３で、図８Ａ−Ａ方向より、裏磁極突出傾斜磁極面磁石５の下端磁極面位置を透視した、断面透視平面図であり、図８は立面図、図９は側面図である。主円盤回転車１２と副円盤回転車１３は、各々、円盤直径比が、１対１の主円盤１と副円盤２の下部に、ピッチ円錐角ｘ３０度、歯数が同数の笠歯車３をつけ、主円盤１と副円盤２の円盤面上外周部円周を、各々、２区分で等区分する。主円盤１は、各区分点より右方向に、各区分点の接線ｆより、傾斜角ａの４５度で、傾斜線ｅを引く。副円盤２は、各区分点より左方向に、各区分点の接線ｆより、傾斜角ｂの９０度で傾斜線ｅを引く。
【００１５】主円盤１の各傾斜線ｆ上を、下端磁極面位置として、外周側面を表磁極のＮ極として、端部突出傾斜磁極面磁石４をつけ、主円盤１面に固定する。端部突出傾斜磁極面磁石４の上に、上部主円盤１をつけ、取付枠１７によって端部突出傾斜磁極面磁石４と固定する。又、副円盤２の各傾斜線ｆ上を、下端磁極面位置として、又、外周側面を表磁極のＮ極として、裏磁極突出傾斜磁極面磁石５をつけ副円盤２面に固定する。裏磁極突出傾斜磁極面磁石５の上に、上部副円盤２をつけ、取付枠１７によって裏磁極突出傾斜磁極面磁石５と固定する。上部主円盤１の上に、フライホイール７を設け、磁石に超電導電磁石を用いた場合、ヘリウム再液化用の冷凍機６を、主円盤１と副円盤２に設ける。主円盤１と副円盤２の軸穴に、中心軸８をつけキー２０により固定し、主円盤回転車１２と副円盤回転車１３を構成する。
【００１６】図１０は、端部突出傾斜磁極面磁石４の立面図、図１１は側面図、図１２は平面図である。端部突出傾斜磁極面磁石４は、二方向傾斜台１６の上に、磁極面の磁極を、同一にして、磁石、又は、超電導電磁石をつけ、枠部で固定した構造である。端部突出傾斜磁極面磁石４の端部は、突出部分４ａとする。磁極面巾ｍは、裏磁極突出傾斜磁極面磁石５の磁極面巾ｍの約２倍とする。突出部分４ａ巾は、磁極面巾ｍの約１０分の１とし、突出高さは、巾の１〜５倍程度である。二方向傾斜台１６は、平面台部分１６ａの上に、磁極面前方向傾斜台１６ｂがつき、その上に、磁極面横方向傾斜台１６ｃがついた形状を、一体成形で作られる。平面台部分１６ａの高さｈは、図１の端部突出傾斜磁極面磁石４の下部磁極面より、主円盤１面外端までの巾ｄで、決まる。ｈは、ｈ＝ｔａｎｘ×ｄとなる。
【００１７】図１３は、裏磁極突出傾斜磁極面磁石４の立面図、図１４は側面図、図１５は平面図である。裏磁極突出傾斜磁極面磁石５は、二方向傾斜台１６の上に、磁極面の磁極を、端部突出傾斜磁極面磁石４と同一にして、磁石、又は、超電導電磁石をつけ、枠部で固定した構造である。裏磁極突出傾斜磁極面磁石５の裏磁極面の端部は、裏磁極突出部分５ａとする。磁極面巾ｍは、副円盤２の直径の約５０％〜６５％とする。裏磁極突出部分５ａ巾は、磁極面巾ｍの約９分の１とし、突出高さは、巾の１〜５倍とする。二方向傾斜台１６は、磁極面前方向傾斜台１６ｂが、端部突出傾斜磁極面磁石４の場合と、逆方向でつき、その上に、磁極面横方向傾斜台１６ｃがついた形状を、一体成形で作られる。
【００１８】裏磁極突出傾斜磁極面磁石５は、副円盤２面外端円周を区分点として、位置するため、平面台はつかないが、仮に、外端円周より、内側に巾ｙだけ、中の位置に、区分点がある時、平面台の高さｋ＝ｔａｎｘ×ｙの平面台がつく。この場合、端部突出傾斜磁極面磁石４の平面台１６ａの高さは、ｈ＋ｋとなる。図１８で、裏磁極突出傾斜磁極面磁石５の区分点側端部の磁軸方向巾ｒは、端部突出傾斜磁極面磁石４の巾ｒの２〜４倍とする。主円盤回転車１２と副円盤回転車１３は、下部笠歯車３を噛み合わせ、中心軸８を装置容器１５のラジアル軸受け９とスラスト軸受け１０に、支持される。この時、主円盤１の区分点に対し、副円盤２の区分点が、ずらし中心角ｇの約５度〜１０度ずらし、端部突出傾斜磁極面磁石４の磁極面側で、笠歯車３を噛み合わせる。主円盤回転車１２の巾心軸８に、出力用笠歯車１８をつけ、発電機１４軸についた小笠歯車１９と噛み合わせる。冷凍機６への配線は、中心軸８の配線用穴２１に設け、中心軸８端部に、回転接点１１をつける事により、電力を外部から供給する事が、出来る。以上の構成よりなる磁力回転発電装置。図１８は、第一実施例における主円盤１の円周区分を、３区分とした時で、図１と同じ位置での断面透視平面図である。主円盤１の傾斜角ａは、２５度であり、副円盤２の傾斜角ｂは、９０度である。図１９は、第一実施例における主円盤１の円周区分を、４区分とした時で、図１と同じ位置での断面透視平面図である。主円盤１の傾斜角ａは、２５度であり、副円盤２の傾斜角ｂは、９０度である。主円盤１の傾斜角ａは、２区分のときのみ４５度で、それ以上の区分数のときは、５度〜３０度を用いる。副円盤２の傾斜角ｂは、８５度〜９０度である。
【００１９】図１６は、この発明の第二実施例で、主円盤１と副円盤２の直径比を、２対１とした時で、図１７の主円盤回転車１２のＢ−Ｂ線方向と、副円盤回転車１３のＣ−Ｃ線方向断面で、特に、端部突出傾斜磁極面磁石４と裏磁極突出傾斜磁極面磁石５の下端部位置を透視して、合成した断面透視平面図。図２は、図１のＡ−Ａ線方向の断面立面図。側面図は省略。主円盤１の傾斜角ａは２０度、副円盤２の傾斜角ｂは９０度である。図２０は、この発明の第二実施例で、主円盤１と副円盤２の直径比を、２対１とし、副円盤２の区分数を、４区分とした時で、図１７の主円盤回転車１２のＢ−Ｂ線方向と、副円盤回転車１３のＣ−Ｃ線方向断面で、特に、端部突出傾斜磁極面磁石４と裏磁極突出傾斜磁極面磁石５の下端部位置を透視して、合成した断面透視平面図。副円盤２の区分数は、２以上の任意の整数とすることができる。仮に、６区分とすれば、主円盤１の区分数は、１２区分数となる。図２１は、この発明の第二実施例で、主円盤１と副円盤２の直径比を、４対１とし、副円盤２の区分数を、２区分とした時で、図１７の主円盤回転車１２のＢ−Ｂ線方向と、副円盤回転車１３のＣ−Ｃ線方向断面で、特に、端部突出傾斜磁極面磁石４と裏磁極突出傾斜磁極面磁石５の下端部位置を透視して、合成した断面透視平面図。副円盤２の区分数は、２以上の任意の整数とすることができる。仮に、３区分とすれば、主円盤１の区分数は、１２区分数となる。主円盤１と副円盤２の直径比は、任意の整数対１とする事が出来る。仮に、１０対１の比の時、副円盤２の区分数が３区分のとき、主円盤１の区分数は、３０区分数となる。
［発明の効果］
【００２０】装置が小型で、強力な回転力が得られる。特に、電気自動車の電源として用いれば、常に、発電するため、蓄電器を２個設け、２系統とすれれば、出力２０ワット程度ですみ、小型装置とする事ができる。又、超電導電磁石を用いれば、大電力発電が可能で産業用、公共用の電力を供給できる。又、家庭用、航空、宇宙、船舶、鉄道、農業、ロボット、その他あらゆる機器の電源とする事ができる。
【図面の簡単な説明】図１は、この発明の第１実施例であり、第２図の主円盤回転車１２側を、Ｂ−Ｂ線方向、副円盤回転車１３側を、Ｃ−Ｃ線方向の断面で、端部突出傾斜磁極面磁石４と裏磁極突出傾斜磁極面磁石５の下端位置を透視し、合成した断面透視平面図。
図２は図１のＡ−Ａ線方向の断面立面図
図３は図２のＤ−Ｄ線方向の断面側面図
図４は第１実施例における、主円盤回転車１２で、図５のＡ−Ａ線方向において、端部突出傾斜磁極面磁石４の下端位置を透視した、断面透視平面図
図５は、図４の立面図
図６は、図４の側面図
図７は、第１実施例の副円盤回転車１３で、図８のＡ−Ａ線方向において、裏磁極突出傾斜磁極面磁石５の下端位置を透視した、断面透視平面図
図８は、図７の立面図
図９は、図７の側面図
図１０は、第１実施例における、端部突出傾斜磁極面磁石４の立面図
図１１は、図１０の側面図
図１２は、図１０の平面図
図１３は、第１実施例における、裏磁極突出傾斜極面磁石５の立面図
図１４は、図１３の側面図
図１５は、図１３の平面図
図１６は、この発明の第２実施例であり、図１７の主円盤回転車１２側を、Ｂ−Ｂ線方向、副円盤回転車１３側を、Ｃ−Ｃ線方向の断面で、端部突出傾斜磁極面磁石４と裏磁極突出傾斜磁極面磁石５の下端位置を透視し、合成した断面透視平面図。
図１７は、図１６のＡ−Ａ線方向の断面立面図
図１８は、この発明の第１実施例において、主円盤１と副円盤２の区分数を、３区分とした時で、図１と同じ、位置断面方向の断面透視平面図。
図１９は、この発明の第１実施例において、主円盤１と副円盤２の区分数を、４区分とした時で、図１と同じ、の位置断面方向の断面透視平面図。
図２０は、この発明の第２実施例において、副円盤２の区分数を４区分とした時で、図１と同じで、位置断面方向の断面透視平面図。
図２１は、この発明の第２実施例において、主円盤１と副円盤２の円盤直径比を４対１とした時で、図１と同じ、位置断面方向の断面透視平面図。
図２２は、この発明の第１実施例における、回転原理の説明図で、図１と同じ、位置断面方向の断面透視平面図。
図２３は、図２２の位置より、中心角で７０度回転した位置の回転原理説明図。
図２４は、図２３の位置より、中心角で８０度回転した位置の回転原理説明図。
【符号の説明】
１は主円盤、２は副円盤、３は笠歯車、４は端部突出傾斜磁極面磁石、４ａは突出部分、５は裏磁極突出傾斜磁極面磁石、５ａは裏磁極突出部分、６は冷凍機、７はフライホィール、８は中心軸、９はラジアル軸受け、１０はスラスト軸受け、１１は回転接点、１２は主円盤回転車、１３は副円盤回転車、１４は発電機、１５は装置容器、１６は二方向傾斜台、１６ａは平面台部分、１６ｂは磁極面前方向傾斜台部分、１６ｃは磁極面横方向傾斜台部分、１７は取付枠、１８は出力用笠歯車、１９は小笠歯車、２０はキー、２１は配線用穴、２２は継ぎ手、
【図１】
2005185080.tif 000003
【図２】
2005185080.tif 000004
【図３】
2005185080.tif 000005
【図４】
2005185080.tif 000006
【図５】
2005185080.tif 000007
【図６】
2005185080.tif 000008
【図７】
2005185080.tif 000009
【図８】
2005185080.tif 000010
【図９】
2005185080.tif 000011
【図１０】
2005185080.tif 000012
【図１１】
2005185080.tif 000013
【図１２】
2005185080.tif 000014
【図１３】
2005185080.tif 000015
【図１４】
2005185080.tif 000016
【図１５】
2005185080.tif 000017
【図１６】
2005185080.tif 000018
【図１７】
2005185080.tif 000019
【図１８】
2005185080.tif 000020
【図１９】
2005185080.tif 000021
【図２０】
2005185080.tif 000022
【図２１】
2005185080.tif 000023
【図２２】
2005185080.tif 000024
【図２３】
2005185080.tif 000025
【図２４】
2005185080.tif 000026
【手続補正書】
【提出日】平成16年9月1日(2004.9.1)
【手続補正１】
【補正対象書類名】特許請求の範囲
【補正対象項目名】全文
【補正方法】変更
【補正の内容】
【特許請求の範囲】
【請求項１】
中心に軸穴があく、主円盤１と副円盤２の円盤直径比は１対１、又は１対任意の整数比、又は任意の整数対１比とし、各円盤下部に、円盤直径比と同じ歯数比で、中心に軸穴があく、ピッチ円錐角ｘが約１５〜４５度の笠歯車３を固定する。主副円盤直径比が、１対１の時、主副各円盤面上の外周端に、同一直径で区分円周を画き、各円周を２以上の整数で等区分し、各区分点とする。又、主、副円盤直径比が、任意の整数対１比の時、又は１対任意の整数比の時、主、副各円盤面上の外周端に、同一直径比で区分円周を画く。任意の整数対１比の時、副円盤２の区分円周を２以上の整数で等区分し、主円盤１の区分円周は、副円盤２の区分数に、円盤直径比を乗じた数で等区分する。又、１対任意の整数比の時、主円盤１面上の円周区分は２以上の整数で等区分し、副円盤２の円周区分数は、主円盤１の区分数を、円盤直径比で乗じた数で等区分する。等区分した主円盤１の各区分点の接線ｆに対し、区分点より、任意の方向に、０度〜９０度までの中より、任意の傾斜角ａで、傾斜線ｅを引く。又、副円盤２は、各区分点の接線ｆに対し、主円盤１とは逆方向で、０度〜９０度までの中より、主円盤１の傾斜角に対応した、傾斜角ｂの傾斜線ｅを引く。主円盤１の各傾斜線ｅ上には、外周側磁極面を同一磁極で、傾斜線ｅ上を下端磁極面位置とし、又、端部角を区分点位置として、傾斜磁極面磁石４を配列し、固定する。副円盤２の傾斜線ｅ上には、主円盤１の反対磁極を外周側磁極面として、傾斜線ｅ上を下端磁極面位置とし、又、端部角を区分点位置として、下降傾斜磁極面磁石５を配列し、固定する。傾斜磁極面磁石４の突出部４ａの磁極面の高さ位置と、下降傾斜磁極面磁石５の区分点側磁極面角の高さ位置は、同じになるようにする。傾斜磁極面磁石４は、二方向傾斜台１６の傾斜面に、端部に突出部４ａがついた磁石、超電導電磁石を、固定した構造とする。傾斜磁極面磁石４の二方向傾斜台１６は、片側端部を区分点位置とした、平面台部分１６ａと、その上に、ピッチ円錐角ｘと同じ傾斜角ｘで、前方に傾斜した、磁極面前方向傾斜台部分１６ｂが、区分点より、回転方向につき、更にその上に、区分点側より、上向き傾斜する磁極面横方向傾斜台部分１６ｃが、ついた形であり、一体成形で作られる。この二方向傾斜台１６の傾斜面に、傾斜側磁極面を同一磁極にして、磁石、超電導電磁石を、取付枠で固定した構造とする。下降傾斜磁極面磁石５は、二方向傾斜台１６の傾斜面に、端部に突出部５ａがついた磁石、超電導電磁石を、固定した構造とする。下降傾斜磁極面磁石５の二方向傾斜台１６は、傾斜磁極面磁石４の場合と、逆側の片側端部を区分点位置とした、平面台部分１６ａと、その上に、ピッチ円錐角ｘと同じ傾斜角ｘで、前方に傾斜した、磁極面前方向傾斜台部分１６ｂがつき、更にその上に、区分点側より、突出部分５ａに、下降傾斜する磁極面横方向傾斜台部分１６ｃがついた形であり、一体成形で作られる。二方向傾斜台１６の傾斜面に、傾斜側磁極面を主円盤１と反対磁極にして、磁石、超電導電磁石を、取付枠で固定した構造とする。傾斜磁極面磁石４と下降傾斜磁極面磁石５の磁極面巾ｍは、同じ巾とし、区分中心角弦巾（２区分の時、区分円周直径）の９０％〜２０％の巾より、任意の巾とする。円盤面に各々固定された、傾斜磁極面磁石４と下降傾斜磁極面磁石５に、上部の主円盤１と副円盤２をつけ取付枠１７により固定する。傾斜磁極面磁石４と下降傾斜磁極面磁石５に超電導電磁石を用いる時は、上部の主円盤１と副円盤２の上に冷却ガス再冷却用の冷凍機６を設け、又、フライホイール７を主円盤１上に設ける。主円盤１と副円盤２の軸穴に中心軸８を付け、キー２０により固定し、主円盤回転車１２と副円盤回転車１３とする。主円盤回転車１２と副円盤回転車１３は、各笠歯車３を噛み合わせ、装置容器１５のラジアル軸受け９とスラスト軸受け１０により支持する。この時、主円盤１の、傾斜磁極面磁石４の突出部４ａの磁極面端部が、中心線ｙ−ｙの位置にある時、副円盤２の、下降傾斜磁極面磁石５の磁極面巾ｍの中間点が、中心線ｙ−ｙの位置にして各笠歯車３を噛み合わせる。このため、副円盤２の区分点は、ずらし中心角ｇの中心線上に設ける。ずらし中心角ｇは、磁極面巾ｍによって異なり、約５度〜３０度となる。主円盤１の中心軸８端に、出力用笠歯車１８をつけ、装置容器１５上に設けた発電機１４軸の小笠歯車１７と、噛み合う。冷凍機６の電力供給は、中心軸８の配線用穴２１に、配線をとうし、中心軸８端に設けた回転接点１１に接続し、外部より供給する。以上の構成よりなる磁力回転発電装置。
【手続補正２】
【補正対象書類名】明細書
【補正対象項目名】全文
【補正方法】変更
【補正の内容】
【発明の詳細な説明】
【技術分野】
【０００１】この発明は、磁石相互間に作用する吸引力と反発力を回転力に変えて、発電機を回転させ、電力を得る装置で、電気自動車、船舶、航空宇宙、工業用、家庭用、農業用の電源として用いる。［従来の技術］【０００２】従来、磁石相互間に作用する吸引力と反発力を回転力として、発電機を回転し電力を得る装置は、我国の発明家湊弘平氏の磁力発電装置が、１９８７年にテレビ、雑誌で公開された。実用機も作られたが耐久性に問題があったためか、その後実用化はされなかった。しかし、その後、磁石と電磁石を用いた磁力回転発電装置を発明し、４０カ国以上の国際特許を得ている。他に米国の発明家トロイ・リード氏の磁力発電装置があるが、装置が大型になる欠点がある。［発明が解決しょうとする課題］【０００３】この発明は、円盤上に配列する磁石数を少なくして小型化する事を目的とし、又、超電導電磁石を用いて大電力を発電する事を目的とする。［課題を解決するための手段］【０００４】中心に軸穴があく、主円盤１と副円盤２の円盤直径比は１対１、又は１対任意の整数比、又は任意の整数対１比とし、各円盤下部に、円盤直径比と同じ歯数比で、中心に軸穴があく、ピッチ円錐角ｘが約１５〜４５度の笠歯車３を固定する。主副円盤直径比が、１対１の時、主副各円盤面上の外周端に、同一直径で区分円周を画き、各円周を２以上の整数で等区分し、各区分点とする。又、主、副円盤直径比が、任意の整数対１比の時、又は１対任意の整数比の時、主、副各円盤面上の外周端に、同一直径比で区分円周を画く。任意の整数対１比の時、副円盤２の区分円周を２以上の整数で等区分し、主円盤１の区分円周は、副円盤２の区分数に、円盤直径比を乗じた数で等区分する。又、１対任意の整数比の時、主円盤１面上の円周区分は２以上の整数で等区分し、副円盤２の円周区分数は、主円盤１の区分数を、円盤直径比で乗じた数で等区分する。等区分した主円盤１の各区分点の接線ｆに対し、区分点より、任意の方向に、０度〜９０度までの中より、任意の傾斜角ａで、傾斜線ｅを引く。又、副円盤２は、各区分点の接線ｆに対し、主円盤１とは逆方向で、０度〜９０度までの中より、主円盤１の傾斜角に対応した、傾斜角ｂの傾斜線ｅを引く。【０００５】主円盤１の各傾斜線ｅ上には、外周側磁極面を同一磁極で、傾斜線ｅ上を下端磁極面位置とし、又、端部角を区分点位置として、傾斜磁極面磁石４を配列し、固定する。副円盤２の傾斜線ｅ上には、主円盤１の反対磁極を外周側磁極面として、傾斜線ｅ上を下端磁極面位置とし、又、端部角を区分点位置として、下降傾斜磁極面磁石５を配列し、固定する。傾斜磁極面磁石４の突出部４ａの磁極面の高さ位置と、下降傾斜磁極面磁石５の区分点側磁極面角の高さ位置は、同じになるようにする。傾斜磁極面磁石４は、二方向傾斜台１６の傾斜面に、端部に突出部４ａがついた磁石、超電導電磁石を、固定した構造とする。【０００６】傾斜磁極面磁石４の二方向傾斜台１６は、片側端部を区分点位置とした、平面台部分１６ａと、その上に、ピッチ円錐角ｘと同じ傾斜角ｘで、前方に傾斜した、磁極面前方向傾斜台部分１６ｂが、区分点より、回転方向につき、更にその上に、区分点側より、上向き傾斜する磁極面横方向傾斜台部分１６ｃが、ついた形であり、一体成形で作られる。この二方向傾斜台１６の傾斜面に、傾斜側磁極面を同一磁極にして、磁石、超電導電磁石を、取付枠で固定した構造とする。下降傾斜磁極面磁石５は、二方向傾斜台１６の傾斜面に、端部に突出部５ａがついた磁石、超電導電磁石を、固定した構造とする。下降傾斜磁極面磁石５の二方向傾斜台１６は、傾斜磁極面磁石４の場合と、逆側の片側端部を区分点位置とした、平面台部分１６ａと、その上に、ピッチ円錐角ｘと同じ傾斜角ｘで、前方に傾斜した、磁極面前方向傾斜台部分１６ｂがつき、更にその上に、区分点側より、突出部分５ａに、下降傾斜する磁極面横方向傾斜台部分１６ｃがついた形であり、一体成形で作られる。二方向傾斜台１６の傾斜面に、傾斜側磁極面を主円盤１と反対磁極にして、磁石、超電導電磁石を、取付枠で固定した構造とする。【０００７】傾斜磁極面磁石４と下降傾斜磁極面磁石５の磁極面巾ｍは、同じ巾とし、区分中心角弦巾（２区分の時、区分円周直径）の９０％〜２０％の巾より、任意の巾とする。円盤面に各々固定された、傾斜磁極面磁石４と下降傾斜磁極面磁石５に、上部の主円盤１と副円盤２をつけ取付枠１７により固定する。傾斜磁極面磁石４と下降傾斜磁極面磁石５に超電導電磁石を用いる時は、上部の主円盤１と副円盤２の上に冷却ガス再冷却用の冷凍機６を設け、又、フライホイール７を主円盤１上に設ける。主円盤１と副円盤２の軸穴に中心軸８を付け、キ−２０により固定し、主円盤回転車１２と副円盤回転車１３とする。主円盤回転車１２と副円盤回転車１３は、各笠歯車３を噛み合わせ、装置容器１５のラジアル軸受け９とスラスト軸受け１０により支持する。この時、主円盤１の、傾斜磁極面磁石４の突出部４ａの磁極面端部が、中心線ｙ−ｙの位置にある時、副円盤２の、下降傾斜磁極面磁石５の磁極面巾ｍの中間点が、中心線ｙ−ｙの位置にして各笠歯車３を噛み合わせる。このため、副円盤２の区分点は、ずらし中心角ｇの中心線上に設ける。ずらし中心角ｇは、磁極面巾ｍによって異なり、約５度〜３０度となる。主円盤１の中心軸８端に、出力用笠歯車１８をつけ、装置容器１５上に設けた発電機１４軸の小笠歯車１７と、噛み合う。冷凍機６の電力供給は、中心軸８の配線用穴２１に、配線をとうし、中心軸８端に設けた回転接点１１に接続し、外部より供給する。以上の構成よりなる磁力回転発電装置。［発明の実施の形態］【０００８】この発明装置の回転原理を、図１とおなじ方向位置で、合成した断面平面透視図である、図２５、図２６、図２７各図を用いて説明する。まず、主円盤１の傾斜角ａは２０度、副円盤２の傾斜角ｂは４５度である。図２５の位置にある時、副円盤２の、下降傾斜磁極面磁石５（５）の区分点側端部部分のＳ磁極が、主円盤１の、傾斜磁極面磁石４（１）の突出部分４ａのＮ磁極との吸引力によって、回転力Ｐが作用する。回転力Ｐは、副円盤２の接線方向であるため、回転トルクが作用する。従って、副円盤２に回転力Ｐが作用する。傾斜磁極面磁石４（１）の突出部分４ａにかかる吸引力は、中心軸８方向であるため逆回転力は作用せず、主副両円盤は、図２６位置まで、中心角で４０度回転する。【０００９】図２６位置にある時、主円盤１の、傾斜磁極面磁石４（４）突出部分４ａのＮ磁極が、副円盤２の、下降傾斜磁極面磁石５（６）の突出部分５ａのＳ磁極との吸引力によって、回転力Ｐが作用する。回転力Ｐは、主円盤１の接線方向であるため、回転トルクが作用する。従って、主円盤１に回転力Ｐが作用する。突出部分５ａにかかる吸引力は、中心軸８方向であるため逆回転力は作用せず、主副両円盤は、図２７の位置まで、中心角で２０度回転する。この回転力Ｐは、図２７の位置まで持続する。【００１０】図２７位置にある時、主円盤１の、傾斜磁極面磁石４（４）突出部分４ａのＮ磁極が、副円盤２の、下降傾斜磁極面磁石５（６）の突出部分５ａのＳ磁極との吸引力によって、回転力Ｐが持続する。次に、副円盤２の、下降傾斜磁極面磁石５（６）の区分点側端部部分のＳ磁極が、主円盤１の、傾斜磁極面磁石４（４）の突出部分４ａのＮ磁極との吸引力によって、回転力Ｐが作用する。回転力Ｐは、副円盤２の接線方向であるため、回転トルクが作用する。従って、副円盤２に回転力Ｐが作用する。傾斜磁極面磁石４（４）の突出部分４ａにかかる吸引力は、中心軸８方向であるため逆回転力は作用しない。この回転力Ｐは、図２５の位置まで持続する。従って、主円盤１と副円盤２の２箇所で作用する、回転力Ｐによって、主副両円盤は、図２５位置まで、中心角で３０度回転する。主円盤１の傾斜磁極面磁石４（４）は、図２５の傾斜磁極面磁石４（１）の位置となり、１区分間の作動サイクルとなる。この１区分作動サイクルが、次の傾斜磁極面磁石４（３）、次の傾斜磁極面磁石４（２）、次の傾斜磁極面磁石４（１）と持続し、１回転サイクルとなり、回転力を持続する事ができる。中心線ｙ−ｙの位置の近辺で、区分点毎に作用する回転力Ｐは、断続的であるため、上部主円盤１に設けたフライホィール７により、回転を円滑にする。図１にあるように、主円盤回転車１２の中心軸８についた出力用笠歯車１８が、発電機１４軸についた、小笠歯車１９と噛み合うため、発電機を回転し、電力を得る。［実施例］【００１１】この発明の実施例を図面により説明する。図１は、この発明の第一実施例で、図２の主円盤回転車１２のＢ−Ｂ線方向と、副円盤回転車１３のＣ−Ｃ線方向断面で、特に、傾斜磁極面磁石４と下降傾斜磁極面磁石５の下端部位置を透視して、合成した断面透視平面図、図２は、図１のＡ−Ａ線方向の断面立面図、図３は、図２のＤ−Ｄ線方向の断面立面図である。図４は、主円盤回転車１２で、図５Ａ−Ａ方向より、傾斜磁極面磁石４の下端磁極面位置を透視した、断面透視平面図であり、図５は立面図、図６は側面図である。図７は、副円盤回転車１３で、図８Ａ−Ａ方向より、下降傾斜磁極面磁石５の下端磁極面位置を透視した、断面透視平面図であり、図８は立面図、図９は側面図である。主円盤回転車１２と副円盤回転車１３は、各々、円盤直径比が、１対１の主円盤１と副円盤２の下部に、ピッチ円錐角ｘ３０度、歯数比が、１対１の笠歯車３をつける。主円盤１と副円盤２の円盤面上外周部に円周を描き、その各々に、２区分で等区分する。主円盤１は、各区分点より、回転方向の左方向に、又、各区分点接線ｆに対し、傾斜角ａが５０度で、傾斜線ｅを引き、描く。副円盤２は、各区分点より、主円盤１と、逆の右方向に、又、各区分点接線ｆに対し、傾斜角ｂが５０度で傾斜線ｅを引き、描く。【００１２】主円盤１の各区分点に、傾斜磁極面磁石４端部角を区分点位置にして、又、各傾斜線ｆ上を、下端Ｎ磁極面位置として、傾斜磁極面磁石４を主円盤１に、配列固定する。又、上部主円盤１をつけ、取付枠１７によって傾斜磁極面磁石４と固定する。又、副円盤２の各区分点に、下降傾斜磁極面磁石５端部角を区分点位置にして、又、各傾斜線ｆ上を、下端Ｓ磁極面位置として、下降傾斜磁極面磁石５を副円盤２に、配列固定する。又、上部副円盤２をつけ、取付枠１７によって下降傾斜磁極面磁石５を固定する。上部主円盤１の上に、フライホイール７を設ける。磁石に超電導電磁石を用いた場合、ヘリウム再液化用の冷凍機６を、主円盤１と副円盤２に設ける。主円盤１と副円盤２の軸穴に、中心軸８をつけキ−２０により固定し、主円盤回転車１２と副円盤回転車１３を構成する。主円盤１の傾斜角ａと、副円盤２の傾斜角ｂは、回転力が出る組み合わせがある。傾斜角ａが０度の時、傾斜角ｂは３０度。傾斜角ａが２０度の時、傾斜角ｂは４５度。傾斜角ａが３０〜５０度の時、傾斜角ｂは５０度。傾斜角ａが６０度の時、傾斜角ｂは２０度。傾斜角ａが９０度の時、傾斜角ｂは０度。となる。尚、２区分の時、傾斜角ａは、５０度が最適である。【００１３】図１０は、傾斜磁極面磁石４の立面図、図１１は側面図、図１２は平面図である。傾斜磁極面磁石４は、二方向傾斜台１６の上に、磁極面の磁極を、同一にして、磁石、又は、超電導電磁石を枠部で固定した構造である。二方向傾斜台１６は、片側端部を区分点位置とした、平面台部分１６ａの上に、磁極面前方向傾斜台１６ｂがつき、その上に、区分点側より、上向き傾斜する磁極面横方向傾斜台１６ｃがついた形状を、一体成形で作られる。この二方向傾斜台１６の傾斜面に、傾斜側磁極面を同一磁極にして、磁石、超電導電磁石を、取付枠で固定した構造とする。傾斜磁極面磁石４の上向き傾斜の端部は、突出部分４ａとする。主円盤１の、傾斜磁極面磁石４の磁極面巾ｍは、主副円盤直径比がいずれの時も、中心点と２区分点によって、できる、中心角の弦巾（２区分の時は、区分円周直径）の２０％〜９０％の巾より、任意の巾用いる事ができる。副円盤２の下降傾斜磁極面磁石５の磁極面巾ｍは、主円盤１の傾斜磁極面磁石４の磁極面巾ｍと、同じ巾とする。主円盤１の突出部分４ａ巾は、傾斜磁極面磁石４の磁極面巾ｍの３分の１から１３分の１程度とし、突出部分４ａの長さは、巾の２倍〜３倍程度である。主円盤１面より、傾斜磁極面磁石４の、突出部分の端部までの高さと、副円盤２面より、区分点位置の下降傾斜磁極面磁石５の高さは、同じ高さとする。図では、円盤面に固定する、傾斜磁極面磁石４と下降傾斜磁極面磁石５のフランジ部は、省略している。【００１４】図１３は、下降傾斜磁極面磁石５の立面図、図１４は側面図、図１５は平面図である。下降傾斜磁極面磁石５は、二方向傾斜台１６の上に、磁極面の磁極を、傾斜磁極面磁石４と反対にして、磁石、又は、超電導電磁石を、取付枠で固定した構造である。下降傾斜磁極面磁石５の下降傾斜側端部は、突出部分５ａとする。二方向傾斜台１６は、傾斜磁極面磁石４の場合と逆側の片側端部を、区分点位置とした平面台部分１６ａの上に、磁極面前方向傾斜台１６ｂがつき、その上に、区分点側より、下降傾斜する磁極面横方向傾斜台１６ｃが、ついた形状を一体成形で作られる。この二方向傾斜台１６の傾斜面に、傾斜側磁極面を同一磁極にした磁石、超電導電磁石を、下降傾斜側を突出部分５ａ側として、取付枠で固定した構造とする。尚、図において、取付枠は、省略している。主円盤１の平面台部分１６ａの高さは、突出部分４ａの長さをｔとすると、ｔａｎｘ×ｔの値分の高さ、以上とする。又、下降傾斜磁極面磁石５の平面台部分１６ａの高さは、図１８に示した、副円盤２面端部より、下降傾斜磁極面磁石５の傾斜側の磁極面が、副円盤２面内に入った、長さをｄとすると、ｔａｎｘ×ｄの値分だけ、主円盤１の平面台部分１６ａの高さより、高くする。これにより、主円盤１面より、傾斜磁極面磁石４の突出部分４ａ先端の高さと、副円盤２面より、下降傾斜磁極面磁石５の区分点位置端部の高さは、同じ高さとする事ができる。ｄ巾がなければ、平面台部分１６ａの高さは、同じとなる。【００１５】主円盤回転車１２と副円盤回転車１３は、下部笠歯車３を噛み合わせ、中心軸８を装置容器１５のラジアル軸受け９とスラスト軸受け１０に、支持される。この時、主円盤１の、傾斜磁極面磁石４の突出部分４ａの回転方向側端部が、中心線ｙ−ｙに位置する時、副円盤２の、下降傾斜磁極面磁石５の磁極面の中央が、中心線ｙ−ｙ上に位置して、下部笠歯車３を噛み合わせる。このため、副円盤２の区分点が、ずらし中心角ｇの中心線上に来る。中心軸８に、出力用笠歯車１８をつけ、発電機１４軸についた小笠歯車１９と噛み合わせる。冷凍機６への配線は、中心軸８の配線用穴２１に設け、中心軸８端部に、回転接点１１をつける事により、電力を外部から供給する事が、出来る。以上の構成よりなる磁力回転発電装置。この発明は、超電導電磁石を用いた大型機は、縦型とし、小型機は、横型とする事が最適である。主副円盤直径比が、任意の整数対１、又は、１対任意の整数の時、副円盤２は任意の数、主円盤１の周囲に、又、主円盤１は任意の数、副円盤２の周囲に、各々設ける事ができる。図において、冷凍機６から超電導電磁石への配管は省略した。【００１６】図１８は、第一実施例おける主円盤１の円周区分を、３区分とした時で、図１と同じ位置での断面透視平面図である。主円盤１と副円盤２の傾斜角ａと、傾斜角ｂは、共に５０度である。図１９は、第一実施例における、主円盤１の円周区分を４区分で、傾斜角ａを４５度とした時であり、図１と同じ位置での断面透視平面図である。副円盤２の傾斜角ｂは、５０度となる。図２０は、第一実施例における主円盤１の円周区分を、４区分で、主円盤１の傾斜角ａを０度とした時で、図１と同じ位置での断面透視平面図である。副円盤２の傾斜角ｂは、３０度である。図２１は、第一実施例における主円盤１の円周面分を、４区分で、傾斜角ａを９０度とした時で、図１と同じ位置での断面透視平面図である。副円盤２の傾斜角ｂは、０度である。【００１７】図１６は、この発明の第二実施例で、主円盤１と副円盤２の直径比を、２対１とした時で、図１７の主円盤回転車１２のＢ−Ｂ線方向と、副円盤回転車１３の��−Ｃ線方向断面で、特に、傾斜磁極面磁石４と下降傾斜磁極面磁石５の下端部位置を透視して、合成した断面透視平面図。図１７は、図１６のＡ−Ａ線方向の断面立面図。側面図は省略。主円盤１の傾斜角ａは３０度、副円盤２の傾斜角ｂは５０度である。図２２は、この発明の第二実施例で、主円盤１と副円盤２の直径比を、２対１とし、副円盤２の区分数を、４区分で、主円盤１の傾斜角ａを２０度とした時で、副円盤２の傾斜角ｂは４５度である。図１７の主円盤回転車１２のＢ−Ｂ線方向と、副円盤回転車１３のＣ−Ｃ線方向断面で、特に、傾斜磁極面磁石４と下降傾斜磁極面磁石５の下端部位置を透視して、合成した断面透視平面図。副円盤２の区分数は、２以上の任意の整数とすることができる。仮に、６区分とすれば、主円盤１の区分数は、１２区分数となる。【００１８】図２３は、この発明の第二実施例において、主円盤１と副円盤２の直径比を、４対１とし、副円盤２の区分数を、２区分で、主円盤１の傾斜角ａを５０度とした時で、副円盤２の傾斜角ｂは５０度である。主円盤１の区分数は、副円盤２の区分数の２に、主円盤１の直径比４を乗じた、８区分となる。図２３は、図１７の主円盤回転車１２のＢ−Ｂ線方向と、副円盤回転車１３のＣ−Ｃ線方向断面で、特に、傾斜磁極面磁石４と下降傾斜磁極面磁石５の下端部位置を透視して、合成した断面透視平面図。副円盤２の区分数は、２以上の任意の整数とすることができる。仮に、３区分とすれば、主円盤１の区分数は、１２区分数となる。図２４は、この発明の第二実施例において、主円盤１と副円盤２の直径比を、１対２とした時で、主円盤１の区分数は２区分で、  主円盤１の傾斜角ａを５０度とした時で、副円盤２の傾斜角ｂは５０度である。副円盤２の区分数は、主円盤１の区分数２に、副円盤２の円盤直径比２を乗じた４区分となる。仮に、主円盤１と副円盤２の直径比を、１対４で、主円盤１の区分数が４区分の時、副円盤２の区分数は、４区分に副円盤２の直径比４を乗じた１６区分となる。又、主円盤１の区分数が多くなる程、主円盤１の傾斜角ａは、小さくする。［発明の効果］【００１９】装置が小型で、強力な回転力が得られる。特に、電気自動車の電源として用いる時は、常に、発電するため、蓄電器を２個設け２系統とすれば、出力２０ワット程度ですみ、小型装置とする事ができる。又、超電導電磁石を用いれば、大電力発電が可能で産業用、公共用の電力を供給できる。又、家庭用、航空、宇宙、船舶、鉄道、農業、ロボット、その他あらゆる機器の電源とする事ができる。
【図面の簡単な説明】
【００２０】図１は、この発明の第１実施例であり、図２の主円盤回転車１２側をＢ−Ｂ線方向、副円盤回転車１３側をＣ−Ｃ線方向の断面で、傾斜磁極面磁石４と下降傾斜磁極面磁石５の磁極面下端位置を透視し、合成した断面透視平面図。図２は、図１のＡ−Ａ線方向の断面立面図図３は、図２のＤ−Ｄ線方向の断面側面図図４は、第１実施例における、主円盤回転車１２で、図５のＡ−Ａ線方向において、傾斜磁極面磁石４の磁極面下端位置を透視した、断面透視平面図図５は、図４の立面図図６は、図４の側面図【００２１】図７は、第１実施例の副円盤回転車１３で、図８のＡ−Ａ線方向において、下降傾斜磁極面磁石５の磁極面下端位置を透視した、断面透視平面図図８は、図７の立面図図９は、図７の側面図図１０は、第１実施例における、傾斜磁極面磁石４の立面図図１１は、図１０の側面図図１２は、図１０の平面図図１３は、第１実施例における、下降傾斜磁極面磁石５の立面図図１４は、図１３の側面図図１５は、図１３の平面図【００２２】図１６は、この発明の第２実施例であり、図１７の主円盤回転車１２側をＢ−Ｂ線方向、副円盤回転車１３側をＣ−Ｃ線方向の断面で、傾斜磁極面磁石４と下降傾斜磁極面磁石５の磁極面下端位置を透視し、合成した断面透視平面図。図１７は、図１６のＡ−Ａ線方向の断面立面図図１８は、この発明の第１実施例において、主円盤１と副円盤２の区分数を、３区分とした時で、図１と同じ位置断面方向を、合成した断面透視平面図。図１９は、この発明の第１実施例において、主円盤１と副円盤２の区分数を、４区分とした時で、図１と同じ位置断面方向を、合成した断面透視平面図。図２０は、この発明の第１実施例において、主円盤１と副円盤２の区分数を、４区分とした時で、図１と同じ位置断面方向を、合成した断面透視平面図。図２１は、この発明の第１実施例において、主円盤１と副円盤２の区分数を、４区分とした時で、図１と同じ位置断面方向を、合成した断面透視平面図。【００２３】図２２は、この発明の第２実施例において、副円盤２の区分数を４区分とした時で、図１と同じで、位置断面方向を、合成した断面透視平面図。図２３は、この発明の第２実施例において、主円盤１と副円盤２の円盤直径比を４対１とした時で、図１と同じ位置断面方向を、合成した断面透視平面図。図２５は、この発明の第１実施例における、回転原理の説明図で、図１と同じ位置断面方向を、合成した断面透視平面図。図２６は、図２２の位置より、中心角で４０度回転した位置の回転原理説明図。図２７は、図２３の位置より、中心角で３０度回転した位置の回転原理説明図。
【符号の説明】
【００２４】１は主円盤、２は副円盤、３は笠歯車、４は傾斜磁極面磁石、４ａは突出部分、５は下降傾斜磁極面磁石５、５ａは突出部分、６は冷凍機、７はフライホィール、８は中心軸、９はラジアル軸受け、１０はスラスト軸受け、１１は回転接点、１２は主円盤回転車、１３は副円盤回転車、１４は発電機、１５は装置容器、１６は二方向傾斜台、１６ａは平面台部分、１６ｂは磁極面前方向傾斜台部分、１６ｃは磁極面横方向傾斜台部分、１７は取付枠、１８は出力用笠歯車、１９は小歯車、２０はキー、２１は配線用穴、２２は継ぎ手、
【手続補正３】
【補正対象書類名】図面
【補正対象項目名】全図
【補正方法】変更
【補正の内容】
【図１】
2005185080.tif 000027
【図２】
2005185080.tif 000028
【図３】
2005185080.tif 000029
【図４】
2005185080.tif 000030
【図５】
2005185080.tif 000031
【図６】
2005185080.tif 000032
【図７】
2005185080.tif 000033
【図８】
2005185080.tif 000034
【図９】
2005185080.tif 000035
【図１０】
2005185080.tif 000036
【図１１】
2005185080.tif 000037
【図１２】
2005185080.tif 000038
【図１３】
2005185080.tif 000039
【図１４】
2005185080.tif 000040
【図１５】
2005185080.tif 000041
【図１６】
2005185080.tif 000042
【図１７】
2005185080.tif 000043
【図１８】
2005185080.tif 000044
【図１９】
2005185080.tif 000045
【図２０】
2005185080.tif 000046
【図２１】
2005185080.tif 000047
【図２２】
2005185080.tif 000048
【図２３】
2005185080.tif 000049
【図２４】
2005185080.tif 000050
【図２５】
2005185080.tif 000051
【図２６】
2005185080.tif 000052
【図２７】
2005185080.tif 000053